(57)【特許請求の範囲】
【請求項１】
ＷＤＭ装置、ＲＯＡＤＭ装置または光クロスコネクト装置として用いられるノードであって、
クライアント信号が入力され、当該クライアント信号を１つの波長の信号に変換し、前記ネットワークの伝送路である光ファイバに出力し、入力されたクライアント信号の信号名、当該装置の識別情報、前記光ファイバに出力した信号の波長、および、前記光ファイバの識別情報を連ねた情報を生成し、
隣接する装置との間のみで、ＯＳＣを介して、生成した情報の授受を行い、当該装置で生成した情報と、隣接する装置で生成された情報とを合成することを繰り返すことによって、信号名、装置の識別情報から始まり、前記装置の識別情報から、装置の識別情報、波長、光ファイバの識別情報、波長の順に、繰り返し、装置の識別情報、波長、光ファイバの識別情報、波長が連なり、装置の識別情報、信号名で終わる情報を生成する
ことを特徴とするノード。
【請求項２】
ＷＤＭ装置、ＲＯＡＤＭ装置または光クロスコネクト装置として用いられるノードであって、
光ファイバを介して信号が入力され、波長を変えずに前記信号を他の光ファイバから出力し、信号が入力された光ファイバの識別情報、入力された信号の波長、当該装置の識別情報、出力した信号の波長、信号を出力した光ファイバの識別情報を連ねた情報を生成し、
隣接する装置との間のみで、ＯＳＣを介して、生成した情報の授受を行い、当該装置で生成した情報と、隣接する装置で生成された情報とを合成することを繰り返すことによって、信号名、装置の識別情報から始まり、前記装置の識別情報から、装置の識別情報、波長、光ファイバの識別情報、波長の順に、繰り返し、装置の識別情報、波長、光ファイバの識別情報、波長が連なり、装置の識別情報、信号名で終わる情報を生成する
ことを特徴とするノード。
【請求項３】
ＷＤＭ装置、ＲＯＡＤＭ装置または光クロスコネクト装置として用いられるノードであって、
入力された信号の波長を変換する波長変換機能を有し、
光ファイバを介して信号が入力され、前記信号を出力する光ファイバから、入力された前記信号と同じ波長の信号を既に出力している場合に、入力された前記信号の波長を波長変換機能により変換し、波長変換後の信号を前記光ファイバから出力し、信号が入力された光ファイバの識別情報、入力された信号の波長、当該装置の識別情報、出力した信号の波長、波長変換後の信号を出力した光ファイバの識別情報を連ねた情報を生成し、
隣接する装置との間のみで、ＯＳＣを介して、生成した情報の授受を行い、当該装置で生成した情報と、隣接する装置で生成された情報とを合成することを繰り返すことによって、信号名、装置の識別情報から始まり、前記装置の識別情報から、装置の識別情報、波長、光ファイバの識別情報、波長の順に、繰り返し、装置の識別情報、波長、光ファイバの識別情報、波長が連なり、装置の識別情報、信号名で終わる情報を生成する
ことを特徴とするノード。
【請求項４】
ＷＤＭ装置、ＲＯＡＤＭ装置または光クロスコネクト装置として用いられるノードであって、
光ファイバを介して信号が入力され、前記信号をクライアント信号として出力し、前記信号が入力された光ファイバの識別情報、入力された前記信号の波長、当該装置の識別情報、前記クライアント信号の信号名を連ねた情報を生成し、
隣接する装置との間のみで、ＯＳＣを介して、生成した情報の授受を行い、当該装置で生成した情報と、隣接する装置で生成された情報とを合成することを繰り返すことによって、信号名、装置の識別情報から始まり、前記装置の識別情報から、装置の識別情報、波長、光ファイバの識別情報、波長の順に、繰り返し、装置の識別情報、波長、光ファイバの識別情報、波長が連なり、装置の識別情報、信号名で終わる情報を生成する
ことを特徴とするノード。
【請求項５】
信号名、装置の識別情報から始まり、前記装置の識別情報から、装置の識別情報、波長、光ファイバの識別情報、波長の順に、繰り返し、装置の識別情報、波長、光ファイバの識別情報、波長が連なり、装置の識別情報、信号名で終わる情報に基づいて、当該情報に含まれる各波長と、各波長の信号が伝送される光ファイバとをリンクさせる
請求項１から請求項４のうちのいずれか１項に記載のノード。
【発明の詳細な説明】
【技術分野】
【０００１】
本発明は、ＷＤＭ（Wavelength Division Multiplexing）装置、ＲＯＡＤＭ（Reconfigurable Optical Add/Drop Multiplexing）装置または光クロスコネクト装置として用いられるノードに関する。
【背景技術】
【０００２】
特許文献１には、ＷＤＭ伝送装置が記載されている。特許文献１に記載されたＷＤＭ伝送装置は、ＳＯＮＥＴ／ＳＤＨ伝送装置との間で光信号の入出力を行うインタフェース装置を収容する。特許文献１に記載されたＷＤＭ伝送装置は、インタフェース装置の識別情報と、このインタフェース装置に割り当てられたＷＤＭ信号の波長とを対応させた波長情報を、インタフェース装置からＳＯＮＥＴ／ＳＤＨ伝送装置に送信する。そのＳＯＮＥＴ／ＳＤＨ伝送装置は、受信した波長情報を記憶するとともに、ＷＤＭ伝送装置に返信する。ＷＤＭ伝送装置は、同様に、波長情報を、所定の波長の信号により隣接するＷＤＭ伝送装置に送信する。隣接するＷＤＭ伝送装置は、受信した波長情報を記憶するとともに、送信元に返信する。
【０００３】
また、特許文献２には、波長情報を含むＳＤＨフレームを取得し、その波長に基づいて、送出されるＷＤＭ信号に付加されるべきＯＳＣ信号を設定することが記載されている。
【先行技術文献】
【特許文献】
【０００４】
【特許文献１】再公表特許  国際公開番号ＷＯ２００４／０１０６２０
【特許文献２】特開２０１１−１９１２１号公報
【発明の概要】
【発明が解決しようとする課題】
【０００５】
図２は、ＷＤＭ装置、ＲＯＡＤＭ装置または光クロスコネクト装置をノードとするネットワークにおいて、２つの信号の波長が重なる状況の例を示す説明図である。図２に例示するネットワークを形成する各装置Ｎ１〜Ｎ７は、それぞれ、光信号のまま波長の方路を切り替える方路切替機能を有するＷＤＭ装置、ＲＯＡＤＭ装置、光クロスコネクト装置のいずれであってもよい。図２に示す例において、装置Ｎ６に信号Ｓ１が入力され、装置Ｎ６は、その信号Ｓ１を波長λ１の光信号に変換して、光ファイバＦ８に出力しているとする。そして、その波長λ１の信号は、光ファイバＦ８、装置Ｎ５、光ファイバＦ４、装置Ｎ３、光ファイバＦ３を介して、装置Ｎ４に到達し、装置Ｎ４がその信号を信号Ｓ１に戻して出力しているとする。
【０００６】
この状態で、装置Ｎ１に信号Ｓ２が入力され、装置Ｎ１は、その信号を波長λ１で装置Ｎ４まで伝送しようとするものとする。一般的なＷＤＭ装置、ＲＯＡＤＭ装置、光クロスコネクト装置は、多重された波長や、各波長が伝送されている光ファイバを管理していない。そのため、装置Ｎ１では、光ファイバ３が既に波長λ１の信号の伝送に使用されていることが分からず、装置Ｎ３が信号路を生成しようとする時まで、光ファイバ３が波長λ１の信号の伝送に使用されていることを認識できなかった。
【０００７】
このため、管理系のシステムが光ファイバ毎に使用されている波長を調べ、光ファイバにおいて未使用の波長を明らかにしなければ、信号路の生成や迂回路を生成できず、また、波長変換機能を必要な場所に予め設定することができなかった。そのため、信号路の生成に時間がかかってしまうという問題があった。
【０００８】
そこで、本発明は、ネットワークにおいて伝送路となる光ファイバと、その光ファイバで伝送される波長を一元的に管理し、光ファイバにおける波長の使用状況を認識することができるようにすることを目的とする。
【課題を解決するための手段】
【０００９】
本発明によるノードは、ＷＤＭ装置、ＲＯＡＤＭ装置または光クロスコネクト装置として用いられるノードであって、クライアント信号が入力され、当該クライアント信号を１つの波長の信号に変換し、ネットワークの伝送路である光ファイバに出力し、入力されたクライアント信号の信号名、当該装置の識別情報、その光ファイバに出力した信号の波長、および、その光ファイバの識別情報を連ねた情報を生成し、隣接する装置との間のみで、ＯＳＣを介して、生成した情報の授受を行い、当該装置で生成した情報と、隣接する装置で生成された情報とを合成することを繰り返すことによって、信号名、装置の識別情報から始まり、前記装置の識別情報から、装置の識別情報、波長、光ファイバの識別情報、波長の順に、繰り返し、装置の識別情報、波長、光ファイバの識別情報、波長が連なり、装置の識別情報、信号名で終わる情報を生成することを特徴とする。
【００１０】
また、本発明によるノードは、ＷＤＭ装置、ＲＯＡＤＭ装置または光クロスコネクト装置として用いられるノードであって、光ファイバを介して信号が入力され、波長を変えずにその信号を他の光ファイバから出力し、信号が入力された光ファイバの識別情報、入力された信号の波長、当該装置の識別情報、出力した信号の波長、信号を出力した光ファイバの識別情報を連ねた情報を生成し、隣接する装置との間のみで、ＯＳＣを介して、生成した情報の授受を行い、当該装置で生成した情報と、隣接する装置で生成された情報とを合成することを繰り返すことによって、信号名、装置の識別情報から始まり、前記装置の識別情報から、装置の識別情報、波長、光ファイバの識別情報、波長の順に、繰り返し、装置の識別情報、波長、光ファイバの識別情報、波長が連なり、装置の識別情報、信号名で終わる情報を生成することを特徴とする。
【００１１】
また、本発明によるノードは、ＷＤＭ装置、ＲＯＡＤＭ装置または光クロスコネクト装置として用いられるノードであって、入力された信号の波長を変換する波長変換機能を有し、光ファイバを介して信号が入力され、信号を出力する光ファイバから、入力された信号と同じ波長の信号を既に出力している場合に、入力された信号の波長を波長変換機能により変換し、波長変換後の信号を光ファイバから出力し、信号が入力された光ファイバの識別情報、入力された信号の波長、当該装置の識別情報、出力した信号の波長、波長変換後の信号を出力した光ファイバの識別情報を連ねた情報を生成し、隣接する装置との間のみで、ＯＳＣを介して、生成した情報の授受を行い、当該装置で生成した情報と、隣接する装置で生成された情報とを合成することを繰り返すことによって、信号名、装置の識別情報から始まり、前記装置の識別情報から、装置の識別情報、波長、光ファイバの識別情報、波長の順に、繰り返し、装置の識別情報、波長、光ファイバの識別情報、波長が連なり、装置の識別情報、信号名で終わる情報を生成することを特徴とする。
【００１２】
また、本発明によるノードは、ＷＤＭ装置、ＲＯＡＤＭ装置または光クロスコネクト装置として用いられるノードであって、ＷＤＭ装置、ＲＯＡＤＭ装置または光クロスコネクト装置であって、光ファイバを介して信号が入力され、その信号をクライアント信号として出力し、その信号が入力された光ファイバの識別情報、入力された信号の波長、当該装置の識別情報、クライアント信号の信号名を連ねた情報を生成し、隣接する装置との間のみで、ＯＳＣを介して、生成した情報の授受を行い、当該装置で生成した情報と、隣接する装置で生成された情報とを合成することを繰り返すことによって、信号名、装置の識別情報から始まり、前記装置の識別情報から、装置の識別情報、波長、光ファイバの識別情報、波長の順に、繰り返し、装置の識別情報、波長、光ファイバの識別情報、波長が連なり、装置の識別情報、信号名で終わる情報を生成することを特徴とする。
【発明の効果】
【００１３】
本発明によれば、ネットワークにおいて伝送路となる光ファイバと、その光ファイバで伝送される波長を一元的に管理し、光ファイバにおける波長の使用状況を認識可能とすることができる。
【図面の簡単な説明】
【００１４】
【図１】本発明によるＷＤＭ装置、ＲＯＡＤＭ装置または光クロスコネクト装置をノードとするネットワークの例を示す説明図である。
【図２】ＷＤＭ装置、ＲＯＡＤＭ装置または光クロスコネクト装置をノードとするネットワークにおいて、２つの信号の波長が重なる状況の例を示す説明図である。
【発明を実施するための形態】
【００１５】
図１は、本発明によるＷＤＭ装置、ＲＯＡＤＭ装置または光クロスコネクト装置をノードとするネットワークの例を示す説明図である。図１に例示するネットワークを形成する各装置Ｎ１〜Ｎ７は、それぞれ、ＷＤＭ装置、ＲＯＡＤＭ装置または光クロスコネクト装置として用いられるノードである。各装置Ｎ１〜Ｎ７は、それぞれ、ＷＤＭ装置、ＲＯＡＤＭ装置または光クロスコネクト装置のいずれであってもよい。また、ＷＤＭ装置、ＲＯＡＤＭ装置および光クロスコネクト装置は、光信号のまま波長の方路を切り替える方路切替機能を有する。
【００１６】
図１において、各装置に付した符号“Ｎ１〜Ｎ７”は、各装置の識別情報であるものとする。例えば、装置Ｎ１の識別情報は、“Ｎ１”である。また、図１において、各装置間の信号の伝送路となる光ファイバに付した符号“Ｆ１〜Ｆ１０”は、各光ファイバの識別情報であるものとする。例えば、光ファイバＦ１の識別情報は、“Ｆ１”である。
【００１７】
光ファイバを介してネットワーク内で伝送される信号は、光信号である。また、ネットワーク外部から入力されるクライアント信号は光信号であっても他の信号であってもよい。
【００１８】
ネットワークを形成する各装置のうち、クライアント信号が入力され、その信号をネットワーク内に伝送する装置（本例では、装置Ｎ１を例にする。）は、以下の動作を行う。
【００１９】
すなわち、ＷＤＭ装置、ＲＯＡＤＭ装置または光クロスコネクト装置である装置Ｎ１には、クライアント信号が入力され、装置Ｎ１は、そのクライアント信号をある１つの波長（本例では、λ１とする。）の信号に変換する。そして、装置Ｎ１は、装置Ｎ１に接続された伝送路である光ファイバにその信号を出力する。さらに、装置Ｎ１は、入力されたクライアント信号の信号名、装置Ｎ１自身の識別情報、光ファイバに出力した信号の波長、信号を出力した光ファイバの識別情報を連ねた情報を生成する。例えば、クライアント信号の信号名がＳ２であるとする。装置Ｎ１の識別情報はＮ１であり、本例では、光ファイバに出力した信号の波長はλ１である。そして、装置Ｎ１が光ファイバＦ１に信号を出力したとする。この場合、装置Ｎ１は、Ｓ２Ｎ１λ１Ｆ１という情報を生成する。
【００２０】
なお、クライアント信号の信号名は、クライアント信号に含まれており、装置Ｎ１は、その信号名を参照すればよい。
【００２１】
ネットワークを形成する各装置のうち、ネットワーク内の他の装置から信号が入力され、波長を変えずにその信号をネットワーク内の他の装置に伝送する装置（本例では、装置Ｎ２を例にする。）は、以下の動作を行う。
【００２２】
ＷＤＭ装置、ＲＯＡＤＭ装置または光クロスコネクト装置である装置Ｎ２には、ネットワーク内の装置（本例では、装置Ｎ１とする。）から光ファイバを介して信号が入力され、装置Ｎ２は、その信号の波長を変えずに、その信号をネットワーク内の他の装置（本例では、装置Ｎ３とする。）との間の光ファイバに出力する。そして、装置Ｎ２は、信号が入力された光ファイバの識別情報、入力された信号の波長、装置Ｎ２自身の識別情報、出力した信号の波長、信号を出力した光ファイバの識別情報を連ねた情報を生成する。上記の例では、装置Ｎ２には、光ファイバＦ１から信号が入力される。また、この信号の波長をλ１とする。装置Ｎ２の識別情報はＮ２であり、出力する信号の波長もλ１である。そして、装置Ｎ２は、装置Ｎ３との間の光ファイバＦ２から信号を出力する。よって、この場合、装置Ｎ２は、Ｆ１λ１Ｎ２λ１Ｆ２という情報を生成する。
【００２３】
ネットワークを形成する各装置のうち、ネットワーク内の他の装置から信号が入力され、波長を変えてその信号をネットワーク内の他の装置に伝送する装置（本例では、装置Ｎ３を例にする。）について説明する。
【００２４】
ＷＤＭ装置、ＲＯＡＤＭ装置または光クロスコネクト装置である装置Ｎ３は、入力された信号の波長を変換する波長変換機能Ｅｘを有する。
【００２５】
なお、装置Ｎ３は、入力された信号の波長が、その信号を出力しようとする光ファイバで使用されていない場合には、その信号の波長を変換せずに出力する。例えば、装置Ｎ３に、光ファイバＦ４から波長λ１の信号が入力され、その信号を光ファイバＦ３から出力するものとする。そして、このとき、光ファイバＦ３では、どの波長の信号も伝送していないとする。この場合、光ファイバＦ３で波長λ１の信号を伝送できるので、装置Ｎ３は、光ファイバＦ４から入力された信号の波長λ１を変換せずに、その波長λ１の信号を光ファイバＦ３から出力する。
【００２６】
装置Ｎ３は、ネットワーク内の装置から光ファイバを介して信号が入力され、その信号を出力する光ファイバから、入力された信号と同じ波長の信号を既に出力している場合、その入力された信号の波長を波長変換機能Ｅｘにより変換し、波長変換後の信号を光ファイバから出力する。例えば、上記のように、装置Ｎ３が、光ファイバＦ４から入力された波長λ１の信号を、波長変換せずに光ファイバＦ３から出力しているとする。この状態において、装置Ｎ２から光ファイバＦ２を介して、波長λ１の信号が装置Ｎ３に入力されたとする。装置Ｎ３がこの信号を光ファイバＦ３から出力する場合、光ファイバＦ３では既に波長λ１の信号を伝送しているので、装置Ｎ３は、Ｆ２を介して入力された信号の波長λ１を、波長変換機能Ｅｘにより、例えば、波長λ２に変換する。そして、波長をλ２に変換した信号を、光ファイバＦ３から出力する。
【００２７】
そして、装置Ｎ３は、信号が入力された光ファイバの識別情報、入力された信号の波長、装置Ｎ３自身の識別情報、出力した信号の波長、信号を出力した光ファイバの識別情報を連ねた情報を生成する。上記のように、光ファイバＦ２を介して入力された信号に関しては、信号が入力された光ファイバの識別情報はＦ２であり、その信号の波長はλ１である。また、装置Ｎ３自身の識別情報はＮ３である。出力した信号の波長は、入力された信号に対する波長変換後の波長λ２であり、信号を出力した光ファイバの識別情報はＦ３である。よって、この場合、装置Ｎ３は、Ｆ２λ１Ｎ３λ２Ｆ３という情報を生成する。
【００２８】
ネットワークを形成する各装置のうち、ネットワーク内の他の装置から信号が入力され、その信号をクライアント情報として出力する装置（本例では、装置Ｎ４を例にして説明する。）は、以下の動作を行う。
【００２９】
ＷＤＭ装置、ＲＯＡＤＭ装置または光クロスコネクト装置である装置Ｎ４には、ネットワーク内の装置（本例では、装置Ｎ３とする。）から光ファイバＦ３を介して信号が入力され、装置Ｎ４は、その信号をクライアント信号に変換して、ネットワークの外部に出力する。そして、装置Ｎ４は、その信号が入力された光ファイバの識別情報、入力された信号の波長、装置Ｎ４自身の識別情報、出力したクライアント信号の信号名を連ねた情報を作成する。例えば、上記の例では、信号が入力される光ファイバの識別情報はＦ３である。また、その信号の波長がλ２であるとする。装置Ｎ４自身の識別情報はＮ４である。そして、出力したクライアント信号の信号名がＳ２であるとする。この場合、装置Ｎ４は、Ｆ３λ２Ｎ４Ｓ２という情報を生成する。既に説明したように、クライアント信号の信号名はクライアント信号に含まれており、装置Ｎ４はその信号名を参照すればよい。
【００３０】
また、ＷＤＭ装置、ＲＯＡＤＭ装置または光クロスコネクト装置である各装置は、隣接する装置のみとの間で、ＯＳＣ（Optical Supervisory Channel ）を介して、生成した情報の授受を行う。そして、各装置は、自装置で生成した装置と、隣接する装置で生成された情報とを合成する。そして、その合成により生成した情報についても、隣接する装置のみとの間で、ＯＳＣを介して授受を行う。
【００３１】
例えば、前述の例のように、装置Ｎ３がＦ２λ１Ｎ３λ２Ｆ３という情報を生成し、装置Ｎ４がＦ３λ２Ｎ４Ｓ２という情報を生成したとする。装置Ｎ３，Ｎ４は、これらの情報の授受を行う。そして、装置Ｎ３，Ｎ４は、「Ｆ２λ１Ｎ３λ２Ｆ３」および「Ｆ３λ２Ｎ４Ｓ２」を合成する。この合成により、Ｆ２λ１Ｎ３λ２Ｆ３λ２Ｎ４Ｓ２という情報を生成する。すなわち、共通する光ファイバの識別情報Ｆ３で２つの信号を連結すればよい。なお、このとき、共通する光ファイバの識別情報Ｆ３は、合成結果において重複させない。各装置は、合成により得られた情報を、隣接する装置にＯＳＣを介して送信する。
【００３２】
また、上記の例では、装置Ｎ３，Ｎ４が生成した情報の合成を例示したが、他の隣接する装置同士の間においても、生成した情報の授受や合成が行われ、各装置は、合成により生成した情報も隣接する装置に送信する。そして、各装置は、自身で生成した情報と、隣接する装置から取得した情報とを合成し、その情報を隣接する装置に送信することを繰り返す。
【００３３】
この結果、信号名、装置の識別情報から始まり、その装置の識別情報から、装置の識別情報、波長、光ファイバの識別情報、波長の順に、繰り返し、装置の識別情報、波長、光ファイバの識別情報、波長が連なり、装置の識別情報、信号名で終わる情報が得られる。例えば、Ｓ２Ｎ１λ１Ｆ１λ１Ｎ２λ１Ｆ２λ１Ｎ３λ２Ｆ３λ２Ｎ４Ｓ２等の情報が得られる。各装置は、この情報も、ＯＳＣを介して隣接する装置に送信する。この結果、各装置が、この情報を得ることができる。
【００３４】
また、各装置は、信号名、装置の識別情報から始まり、その装置の識別情報から、装置の識別情報、波長、光ファイバの識別情報、波長の順に、繰り返し、装置の識別情報、波長、光ファイバの識別情報、波長が連なり、装置の識別情報、信号名で終わる情報（例えば、Ｓ２Ｎ１λ１Ｆ１λ１Ｎ２λ１Ｆ２λ１Ｎ３λ２Ｆ３λ２Ｎ４Ｓ２）に基づいて、その情報に含まれる各波長と、各波長の信号が伝送される光ファイバとをリンクさせる（換言すれば、対応付ける）。具体的には、各装置は、上記の情報において、光ファイバの識別情報と、その両側に連なる波長の情報とを対応付ければよい。この対応付けにより、上記の情報に含まれる各波長が、どの光ファイバでの伝送で用いられているかを、各装置が認識できるようになる。また、各波長が、どの光ファイバでの伝送で用いられているかが分かるので、信号路の生成の際に波長変換が必要となる箇所を抽出したり、迂回路を生成したりする時間を短縮することができる。
【００３５】
次に、本発明における処理経過の例を説明する。
図１に示すように、光信号のまま波長の方路を切り替える方路切替機能を有するＷＤＭ装置、ＲＯＡＤＭ装置または光クロスコネクト装置である装置Ｎ６にクライアント信号Ｓ１が入力され、装置Ｎ６は、そのクライアント信号Ｓ１を波長λ１の光信号に変換して、光ファイバＦ８に出力しているとする。そして、その波長λ１の信号は、光ファイバＦ８、装置Ｎ５、光ファイバＦ４、装置Ｎ３、光ファイバＦ３を介して、装置Ｎ４に到達し、装置Ｎ４がその信号をクライアント信号Ｓ１に戻して、クライアント信号Ｓ１をネットワークの外部に出力しているとする。従って、光ファイバＦ３は、波長λ１の信号の伝送に使用されている状態になる。
【００３６】
次に、装置Ｎ１にクライアント信号Ｓ２が入力され、装置Ｎ１がクライアント信号Ｓ２を波長λ１の信号に変換して、その信号を、光ファイバＦ１、装置Ｎ２、光ファイバＦ２、装置Ｎ３、光ファイバＦ３を介して、装置Ｎ４に到達させ、装置Ｎ４でクライアント信号Ｓ２に戻すという経路を生成しようとしたとする。このとき、クライアント信号Ｓ２から変換された信号の経路上の各装置の動作は、以下のようになる。
【００３７】
装置Ｎ１は、入力されたクライアント信号Ｓ２を、波長λ１の信号に変換して、その信号を光ファイバＦ１から出力する。ここで、クライアント信号Ｓ２の信号名は“Ｓ２”であるとする。従って、装置Ｎ１は、Ｓ２Ｎ１λ１Ｆ１という情報を生成する。
【００３８】
装置Ｎ２には、装置Ｎ１から出力された波長λ１の信号が、光ファイバＦ１を介して入力される。装置Ｎ２は、入力された波長λ１の信号を、波長を変えずに光ファイバＦ２から出力する。よって、装置Ｎ２は、Ｆ１λ１Ｎ２λ１Ｆ２という情報を生成する。
【００３９】
装置Ｎ３には、装置Ｎ２から出力された波長λ１の信号が、光ファイバＦ２を介して入力される。ここで、装置Ｓ３の出力側の光ファイバＦ３は、既に波長λ１の信号の伝送に使用されているため、波長λ１の別の信号を伝送できない。そのため、装置Ｎ３は、光ファイバＦ２から入力される信号の波長λ１を、波長変換機能Ｅｘによりλ２に変換する。そして、波長λ２の信号を光ファイバＦ３に出力する。よって、装置Ｎ３は、Ｆ２λ１Ｎ３λ２Ｆ３という情報を生成する。
【００４０】
装置Ｎ４には、装置Ｎ３から出力された波長λ２の信号が、光ファイバＦ３を介して入力される。装置Ｎ４は、その信号をクライアント信号Ｓ２に戻して、ネットワークの外部に出力する。よって、装置Ｎ４は、Ｆ３λ２Ｎ４Ｓ２という情報を生成する。
【００４１】
そして、それぞれの装置は、自装置で生成した情報を、ＯＳＣを介して、隣接する装置に送信する。従って、各装置は、自装置で生成した情報を隣接する装置と共有することになる。そして、各装置は、自装置で生成した情報と、隣接する装置で生成された情報とを合成する。
【００４２】
例えば、装置Ｎ３は、自装置で生成したＦ２λ１Ｎ３λ２Ｆ３と、隣接する装置Ｎ４で生成されたＦ３λ２Ｎ４Ｓ２とを合成して、Ｆ２λ１Ｎ３λ２Ｆ３λ２Ｎ４Ｓ２を生成する。また、装置Ｎ２は、自装置で生成したＦ１λ１Ｎ２λ１Ｆ２と、隣接する装置Ｎ３で上記のように生成されたＦ２λ１Ｎ３λ２Ｆ３λ２Ｎ４Ｓ２とを合成して、Ｆ１λ１Ｎ２λ１Ｆ２λ１Ｎ３λ２Ｆ３λ２Ｎ４Ｓ２を生成する。同様に、装置Ｎ１は、自装置で生成したＳ２Ｎ１λ１Ｆ１と、隣接する装置Ｎ２で上記のように生成されたＦ１λ１Ｎ２λ１Ｆ２λ１Ｎ３λ２Ｆ３λ２Ｎ４Ｓ２とを合成して、Ｓ２Ｎ１λ１Ｆ１λ１Ｎ２λ１Ｆ２λ１Ｎ３λ２Ｆ３λ２Ｎ４Ｓ２という情報を生成する。装置Ｎ２，Ｎ３，Ｎ４においても同様に、Ｓ２Ｎ１λ１Ｆ１λ１Ｎ２λ１Ｆ２λ１Ｎ３λ２Ｆ３λ２Ｎ４Ｓ２という情報を生成する。
【００４３】
各装置は、この情報に基づいて、この情報に含まれる各波長と、各波長の信号が伝送される光ファイバとをリンクさせる。例えば、光ファイバＦ１の識別情報“Ｆ１”と、その両側に連なる波長λ１を対応付ける。この結果、光ファイバ毎に、使用している波長を各装置で識別することができる。
【００４４】
上記の例では、装置Ｎ１に入力され装置Ｎ４から出力されるクライアント信号Ｓ２に関して、Ｓ２Ｎ１λ１Ｆ１λ１Ｎ２λ１Ｆ２λ１Ｎ３λ２Ｆ３λ２Ｎ４Ｓ２を生成する場合を示したが、装置Ｎ６に入力されるクライアント信号Ｓ１に関しても、Ｓ１Ｎ６λ１Ｆ８λ１Ｎ５λ１Ｆ４λ１Ｎ３λ１Ｆ３λ１Ｎ４Ｓ１が生成され、各装置がこの情報を得ている。従って、装置Ｎ１にクライアント信号Ｓ２が入力され、その信号の信号路を生成する時点で、光ファイバＦ３で波長λ１が既に使用されていることが分かる。このため、信号路生成の最初から、装置Ｎ１でクライアント信号から変換される波長λ１の信号を、装置Ｎ３が、光ファイバＦ３で未使用の波長λ２の信号に変換しなければならないことを確認できる。
【００４５】
本発明によれば、ファイバ毎に各信号が使用している波長を各装置が識別できるため、未使用である波長を認識でき、信号路を容易に生成することができる。さらに、伝送する波長の変換が必要になる箇所を、信号路生成の過程で容易に認識でき、波長変換機能を設定する装置を容易に知ることができる。よって、信号路の生成の際に波長変換が必要となる箇所を抽出したり、迂回路を生成したりする時間を短縮することができる。
【００４６】
上記の実施形態の一部または全部は、以下の付記のようにも記載されうるが、以下には限定されない。
【００４７】
（付記１）ＷＤＭ装置、ＲＯＡＤＭ装置または光クロスコネクト装置として用いられるノードであって、クライアント信号が入力され、当該クライアント信号を１つの波長の信号に変換し、前記ネットワークの伝送路である光ファイバに出力し、入力されたクライアント信号の信号名、当該装置の識別情報、前記光ファイバに出力した信号の波長、および、前記光ファイバの識別情報を連ねた情報を生成することを特徴とするノード。
【００４８】
（付記２）ＷＤＭ装置、ＲＯＡＤＭ装置または光クロスコネクト装置として用いられるノードであって、光ファイバを介して信号が入力され、波長を変えずに前記信号を他の光ファイバから出力し、信号が入力された光ファイバの識別情報、入力された信号の波長、当該装置の識別情報、出力した信号の波長、信号を出力した光ファイバの識別情報を連ねた情報を生成することを特徴とするノード。
【００４９】
（付記３）ＷＤＭ装置、ＲＯＡＤＭ装置または光クロスコネクト装置として用いられるノードであって、入力された信号の波長を変換する波長変換機能を有し、光ファイバを介して信号が入力され、前記信号を出力する光ファイバから、入力された前記信号と同じ波長の信号を既に出力している場合に、入力された前記信号の波長を波長変換機能により変換し、波長変換後の信号を前記光ファイバから出力し、信号が入力された光ファイバの識別情報、入力された信号の波長、当該装置の識別情報、出力した信号の波長、波長変換後の信号を出力した光ファイバの識別情報を連ねた情報を生成することを特徴とするノード。
【００５０】
（付記４）ＷＤＭ装置、ＲＯＡＤＭ装置または光クロスコネクト装置として用いられるノードであって、光ファイバを介して信号が入力され、前記信号をクライアント信号として出力し、前記信号が入力された光ファイバの識別情報、入力された前記信号の波長、当該装置の識別情報、前記クライアント信号の信号名を連ねた情報を生成することを特徴とするノード。
【００５１】
（付記５）隣接する装置との間のみで、ＯＳＣを介して、生成した情報の授受を行い、当該装置で生成した情報と、隣接する装置で生成された情報とを合成することを繰り返すことによって、信号名、装置の識別情報から始まり、前記装置の識別情報から、装置の識別情報、波長、光ファイバの識別情報、波長の順に、繰り返し、装置の識別情報、波長、光ファイバの識別情報、波長が連なり、装置の識別情報、信号名で終わる情報を生成する付記１から付記４のうちのいずれかに記載のノード。
【００５２】
（付記６）信号名、装置の識別情報から始まり、前記装置の識別情報から、装置の識別情報、波長、光ファイバの識別情報、波長の順に、繰り返し、装置の識別情報、波長、光ファイバの識別情報、波長が連なり、装置の識別情報、信号名で終わる情報に基づいて、当該情報に含まれる各波長と、各波長の信号が伝送される光ファイバとをリンクさせる付記５に記載のノード。
【産業上の利用可能性】
【００５３】
本発明は、信号の伝送路となる光ファイバと、その光ファイバで使用される波長との対応関係を認識するために好適に適用される。
【符号の説明】
【００５４】
Ｎ１〜Ｎ７  ＷＤＭ装置、ＲＯＡＤＭ装置または光クロスコネクト装置
Ｆ１〜Ｆ１０  光ファイバ
【図１】
0005793955.tif 000002
【図２】
0005793955.tif 000003